(57)【特許請求の範囲】
【請求項１】
反強誘電性液晶セルの上部に信号電極ラインが並んで配列され、前記反強誘電性液晶セルの下部に走査電極ラインが前記信号電極ラインと直交するように並んで配列される反強誘電性液晶表示パネルの駆動方法において、
走査される走査電極ラインに走査用選択電圧を印加すると同時に、前記全ての信号電極ラインに表示データ信号を印加することによって、選択された液晶セルを強誘電性状態に転換させる選択段階と、
前記走査用選択電圧と同じ極性でありながらさらに低い維持電圧を所定時間中に前記走査電極ラインに印加することによって、選択された液晶セルを強誘電状態に維持する維持段階と、
前記走査用選択電圧より低い電圧でありながらその極性が反転される交流パルスを前記走査電極ラインに印加することによって、前記選択された液晶セルをアクティブにする活性化段階と、
前記走査電極ラインに接地電圧を印加することによって前記アクティブになった液晶セルを反強誘電状態に復元させるリセット段階と、
を含み、前記活性化段階において、前記交流パルスの幅は時間が経つほど狭くなることを特徴とする反強誘電性液晶表示パネルの駆動方法。
【請求項２】
前記活性化段階において、
前記交流パルスの電圧は前記維持電圧と等しいレベルであることを特徴とする請求項１に記載の反強誘電性液晶表示パネルの駆動方法。
【請求項３】
前記活性化段階において、前記交流パルスは、前記維持電圧と反対極性の第１パルス、前記第１パルスと反対極性の第２パルス、及び前記第２パルスと反対極性の第３パルスを含み、
前記第１パルスの幅：前記第２パルスの幅：前記第３パルスの幅の比率が３：２：１であることを特徴とする請求項１に記載の反強誘電性液晶表示パネルの駆動方法。
【発明の詳細な説明】
【０００１】
【発明の属する技術分野】
本発明は反強誘電性液晶表示パネルの駆動方法に係り、より詳細には、反強誘電性液晶セルの上部に信号電極ラインが並んで配列され、反強誘電性液晶セルの下部に走査電極ラインが信号電極ラインと直交するように並んで配列される反強誘電性液晶表示パネルの駆動方法に関する。
【０００２】
【従来の技術】
図２を参照すれば、一般的な反強誘電性液晶表示装置１は反強誘電性液晶表示パネル１１とその駆動装置を含む。
【０００３】
反強誘電性液晶表示パネル１１には、反強誘電性液晶セルＬＣの上部に信号電極ラインＳＬ１、ＳＬ２、ＳＬ３、．．．、ＳＬnが並んで配列され、反強誘電性液晶セルの下部に走査電極ラインＣＬ１、ＣＬ２、ＣＬ３、．．．、ＣＬmが信号電極ラインＳＬ１、ＳＬ２、ＳＬ３、．．．、ＳＬnと直交するように並んで配列される。走査電極ラインＣＬ１、ＣＬ２、ＣＬ３、．．．、ＣＬmと信号電極ラインＳＬ１、ＳＬ２、ＳＬ３、．．．、ＳＬnは透明な導体、例えばＩＴＯ(Ｉｎｄｉｕｍ−Ｔｉｎ−Ｏｘｉｄｅ)材質の導体が使われる。
【０００４】
駆動装置は、セグメント駆動部１２、変調信号発生部１３１及び共通駆動部１３２とを含む。この駆動装置にはホスト、例えばノート型パソコンからデータ信号ＤＡＴＡ、シフトクロック信号ＳＣＫ、フレーム信号ＦＬＭ及びラッチクロック信号ＬＣＫが入力される。セグメント駆動部１２では、入力されたデータ信号ＤＡＴＡをシフトクロック信号ＳＣＫにより各信号電極ラインＳＬ１、ＳＬ２、ＳＬ３、．．．、ＳＬnに待機させる。さらに、ラッチクロック信号ＬＣＫにより待機させられたデータ信号ＤＡＴＡに相応する信号電圧を各信号電極ラインＳＬ１、ＳＬ２、ＳＬ３、．．．、ＳＬnに印加する。
【０００５】
フレーム信号ＦＬＭは１フレームの開始を示す。変調信号発生部１３１ではラッチクロック信号ＬＣＫの周波数を分周して変調信号を発生させ、この発生した変調信号はセグメント駆動部１２及び共通駆動部１３２の出力電圧の極性を制御する。
【０００６】
共通駆動部１３２では、ラッチクロック信号ＬＣＫ、フレーム信号ＦＬＭ及び変調信号の制御によって相応する走査電圧を各走査電極ラインＣＬ１、ＣＬ２、ＣＬ３、．．．、ＣＬmに順次印加する。これによって表示される画素の反強誘電性液晶ＬＣの配列構造が変換されつつ光が透過されたり遮断されたりする。
【０００７】
図３は、従来の駆動方法によって走査される走査電極ラインに印加される共通駆動電圧の波形を示す。
【０００８】
図３を参照すれば、単位スロットＳＬに該当する第１選択周期ｔＳ１では、走査用選択電圧＋ＶＳが印加されるので、これに相応する表示データ信号ＳＳの電圧によって選択された反強誘電性液晶セルが強誘電性状態に転換される。これによって外部からの光が透過される。連続する第１維持周期ｔＨ１では、走査用選択電圧＋ＶＳと同じ極性でありつつより低い維持電圧＋ＶＨが印加され、選択された液晶セルが強誘電性状態に維持される。連続する第１リセット周期ｔＲ１では、接地電圧が印加されるので、強誘電性状態の液晶セルが反強誘電性状態に復元される。第１リセット周期ｔＲ１は連続する単位駆動周期での反転駆動が円滑に行われるために必要である。
【０００９】
連続する第２選択周期ｔＳ２では、走査用選択電圧−ＶＳが印加されるので、これに相応する表示データ信号ＳＳの電圧によって選択された反強誘電性液晶セルが強誘電性状態に転換される。これによって外部からの光が透過される。連続する第２維持周期ｔＨ２では、走査用選択電圧−ＶＳと同じ極性でありつつより低い維持電圧−ＶＨが印加され、選択された液晶セルが強誘電性状態に維持される。連続する第２リセット周期ｔＲ２では、接地電圧が印加されるので、強誘電性状態の液晶セルが反強誘電性状態に復元される。第２リセット周期ｔＲ２は連続する単位駆動周期での反転駆動が円滑に行われるようにするために必要である。
【００１０】
図４は、選択された液晶セルの透過度が図３の第１または第２リセット周期ｔＲ１あるいはｔＲ２で変わる状態を示す。図４において参照符号３１はプローブ電圧が印加されていない状態の元の波形を、そして参照符号３１１、３１２、３１３及び３１４はプローブ電圧が印加された状態の干渉波形を示す。図３を参照して説明された通り、リセット周期ｔＲ１あるいはｔＲ２では、走査される走査電極ラインに印加される電圧が維持電圧＋ＶＨあるいは−ＶＨで接地電圧に転換されることによって選択されていた液晶セルが強誘電性状態から反強誘電性状態に復元される。これによって、図４に示したように選択された液晶セルでの光の透過度が低くなる。
【００１１】
反強誘電性液晶表示パネルの輝度は選択されていた液晶セルでの状態復元時間が短いほど高まる。ところで、図３に示した通りの単純な駆動方法によれば、リセット周期ｔＲ１、ｔＲ２での状態復元時間が長く、反強誘電性液晶表示パネルの輝度が低くなる問題点がある。
【００１２】
図５は、従来の他の駆動方法によって走査される走査電極ラインに印加される共通駆動電圧の波形を示す。図５において図３と同一の参照符号は同一の機能の対象を示す。図５の駆動波形を図３のものと比較してみれば、維持周期ｔＨ１あるいはｔＨ２とリセット周期ｔＲ１、ｔＲ２の間に単一のブランキングパルスが印加される単一活性化周期ｔＢ１、ｔＢ２が追加されていることが分かる。
【００１３】
図６は、選択された液晶セルの透過度が図５の第１または第２リセット周期ｔＲ１あるいはｔＲ２で変わる状態を示す。図６において、参照符号５１は図３の駆動方法によってあらわれた非活性化波形を、参照符号５２１は図５の駆動方法によってあらわれた活性化波形を、参照符号５２２と５２３はプローブ電圧が印加された状態の干渉波形を示す。図６を参照すれば、単一ブランキングパルスが印加される単一活性化周期ｔＢ１、ｔＢ２が追加されることによって液晶セルでの状態復元時間が短くなることが分かる。
【００１４】
しかし、単一ブランキングパルスが印加される単一活性化周期ｔＢ１、ｔＢ２を持った図５の駆動方法によれば、周囲温度の変化に対し敏感な状態復元特性を持つ。すなわち、室温より高かったり低い周囲温度で、単一活性化周期ｔＢ１、ｔＢ２の単一ブランキングパルスが一つのノイズだけで作用することによって、状態復元時間が短くなれない。
【００１５】
【発明が解決しようとする課題】
本発明の目的は、反強誘電性液晶表示パネルの駆動方法において、周囲温度が変わっても液晶セルでの状態復元時間が均一に短縮されるようにする駆動方法を提供することである。
【００１６】
【課題を解決するための手段】
前記目的を達成するための本発明の駆動方法は、反強誘電性液晶セルの上部に信号電極ラインが並んで配列され、前記反強誘電性液晶セルの下部に走査電極ラインが前記信号電極ラインと直交するように並んで配列される反強誘電性液晶表示パネルの駆動方法である。この方法は選択段階、維持段階、活性化段階及びリセット段階を含む。
【００１７】
前記選択段階では、走査される走査電極ラインに走査用選択電圧が印加されると同時に、前記全ての信号電極ラインに表示データ信号が印加されることによって、選択された液晶セルが強誘電性状態に転換される。前記選択段階に連続する前記維持段階では、前記走査用選択電圧と同じ極性でありながらより低い維持電圧が所定時間の間に前記走査電極ラインに印加されることによって、選択された液晶セルが強誘電状態に維持される。前記維持段階に連続する前記活性化段階では、前記走査用選択電圧より低い電圧でありながらその極性が反転される交流パルスが前記走査電極ラインに印加されることによって、前記選択された液晶セルがアクティブになる。前記活性化段階に連続する前記リセット段階では、前記走査電極ラインに接地電圧が印加されることによって前記アクティブになった液晶セルが反強誘電状態に復元される。
【００１８】
本発明の前記駆動方法によれば、前記活性化段階において前記走査用選択電圧より低い電圧でありながらその極性が反転される交流パルスが前記走査電極ラインに印加されることによって、周囲温度が変わっても液晶セルでの状態復元時間が均一に短縮されうる。
【００１９】
【発明の実施の形態】
本実施例が適用される反強誘電性液晶表示パネルには、反強誘電性液晶セル（図２のＬＣ）の上部に信号電極ライン（図２のＳＬ１、．．．、ＳＬn）が並んで配列され、反強誘電性液晶セルＬＣの下部に走査電極ライン（図１のＣＬ１、．．．、ＣＬm）が信号電極ライン（ＳＬ１、．．．、ＳＬn）と直交するように並んで配列されている。
【００２０】
図１は、本発明の一実施例によって走査される走査電極ラインに印加される共通駆動電圧の波形を示す。
【００２１】
図１を参照すれば、単位駆動周期は隣接された単位駆動周期に対しその駆動極性が反対である。単位駆動周期は選択周期Ｔｓ１あるいはｔｓ２、維持周期ＴＨ１あるいはｔＨ２、活性化周期ｔＢ１あるいはｔＢ２、及びリセット周期ｔＲ１あるいはｔＲ２を含む。
【００２２】
一つの単位スロット（図３のＳＬ）に該当する第１選択周期ｔＳ１では、走査用選択電圧＋ＶＳが走査電極ラインに印加されるので、これに相応する表示データ信号（図３のＳＳ）の電圧によって選択された反強誘電性液晶セルが強誘電性状態に転換される。これによって外部からの光が透過される。連続する第１維持周期ｔＨ１では、走査用選択電圧＋ＶＳと同じ極性でありつつさらに低い維持電圧＋ＶＨが走査電極ラインに印加され、選択された液晶セルが強誘電性状態に維持される。
【００２３】
相次ぐ第１活性化周期ｔＢ１では、第１ないし第３部分活性化周期ｔＢ１１、ｔＢ１２及びｔＢ１３を通じて走査用選択電圧＋ＶＳより低い電圧でありながらその極性が反転される交流パルスが走査電極ラインに印加されることによって、選択された液晶セルがアクティブになる。第１活性化周期ｔＢ１１、ｔＢ１２及びｔＢ１３で走査電極ラインに印加される交流パルスの電圧は維持電圧＋ＶＨと同じレベルである。さらに、交流パルスの幅ｔＢ１１、ｔＢ１２及びｔＢ１３は時間が経つほど狭くなる。実験及びシミュレーションによれば、ｔＢ１１：ｔＢ１２：ｔＢ１３が３：２：１の場合に最高の状態復元特性があらわれることが見出された。従って、本実施例の場合、第１-１活性化周期であるｔＢ１１には３つの単位スロット３ＳＬが割り当てられ、第１-２活性化周期であるｔＢ１２には２つの単位スロット２ＳＬが割り当てられ、第１-３活性化周期であるｔＢ１３には１つの単位スロットが割り当てられる。
【００２４】
第１活性化周期ｔＢ１１、ｔＢ１２及びｔＢ１３に適用される各パラメータに対する値が下の表１にまとまっている。
【００２５】
【表１】
0004767426.tif 000002
【００２６】
前記表１において、ＶＢ１１はｔＢ１１での第１ブランキングパルスの電圧を、ＶＢ１２はｔＢ１２での第２ブランキングパルスの電圧を、そしてＶＢ１３はｔＢ１３での第３ブランキングパルスの電圧を各々示す。
【００２７】
相次ぐ第１リセット周期ｔＲ１では、接地電圧が走査電極ラインに印加されるので、強誘電性状態の液晶セルが反強誘電性状態に復元される。ここで、前記第１活性化周期ｔＢ１１、ｔＢ１２及びｔＢ１３の影響によって、周囲温度が変わっても液晶セルでの状態復元時間が均一に短縮されうる。実験及びシミュレーションによれば、第１リセット周期ｔＲ１に４つの単位スロット４ＳＬが割り当てられる時に最適の状態であることが見出された。
【００２８】
一つの単位スロットＳＬに該当する第２選択周期ｔＳ２では、走査用選択電圧−ＶＳが走査電極ラインに印加されるので、これに相応する表示データ信号ＳＳの電圧によって選択された反強誘電性液晶セルが強誘電性状態に転換される。これによって外部からの光が透過される。相次ぐ第２維持周期ｔＨ２では、走査用選択電圧−ＶＳのような極性でありつつさらに低い維持電圧−ＶＨが走査電極ラインに印加され、選択された液晶セルが強誘電性状態に維持される。
【００２９】
相次ぐ第２活性化周期ｔＢ２では、第１ないし第３部分活性化周期ｔＢ２１、ｔＢ２２及びｔＢ２３を通じて走査用選択電圧−ＶＳより低い電圧でありながらその極性が反転される交流パルスが走査電極ラインに印加されることによって、選択された液晶セルがアクティブになる。第２活性化周期ｔＢ２１、ｔＢ２２及びｔＢ２３で走査電極ラインに印加される交流パルスの電圧は維持電圧−ＶＨのようなレベルである。さらに、交流パルスの幅ｔＢ２１、ｔＢ２２及びｔＢ２３は時間が経つほど狭くなる。第２-１活性化周期であるｔＢ２１には３つの単位スロット３ＳＬが割り当てられ、第２-２活性化周期であるｔＢ２２には２つの単位スロット２ＳＬが割り当てられ、第２-３活性化周期であるｔＢ２３には１つの単位スロットが割り当てられる。
【００３０】
第２活性化周期ｔＢ２１、ｔＢ２２及びｔＢ２３に適用される各パラメータに対する値が下の表２にまとまっている。
【００３１】
【表２】
0004767426.tif 000003
【００３２】
前記表２において、ＶＢ２１はｔＢ２１での第１ブランキングパルスの電圧を、ＶＢ２２はｔＢ２２での第２ブランキングパルスの電圧を、そしてＶＢ２３はｔＢ２３での第３ブランキングパルスの電圧を各々示す。
【００３３】
相次ぐ第２リセット周期ｔＲ２では接地電圧が走査電極ラインに印加されるので、強誘電性状態の液晶セルが反強誘電性状態に復元される。ここで、前記第２活性化周期ｔＢ２１、ｔＢ２２及びｔＢ２３の影響によって、周囲温度が変わっても液晶セルでの状態復元時間が均一に短縮されうる。第１リセット周期ｔＲ１と同じように、第２リセット周期ｔＲ２には４つの単位スロット４ＳＬが割り当てられる。
【００３４】
本発明は、前記実施例に限定されず、特許請求の範囲に限定された発明の思想及び範囲内で当業者によって変形及び改良されうる。
【００３５】
【発明の効果】
以上説明された通り、本発明による反強誘電性液晶表示パネルの駆動方法によれば、活性化周期ｔＢ１１、ｔＢ１２、ｔＢ１３、 ｔＢ２１、ｔＢ２２、ｔＢ２３で走査用選択電圧＋ＶＳ、−ＶＳより低い電圧でありながらその極性が反転される交流パルスが走査電極ラインに印加されることによって、周囲温度が変わっても液晶セルでの状態復元時間が均一に短縮されうる。
【図面の簡単な説明】
【図１】本発明の一実施例によって走査される走査電極ラインに印加される共通駆動電圧の波形図。
【図２】一般的な反強誘電性液晶表示装置を示すブロック図。
【図３】従来の駆動方法によって走査される走査電極ラインに印加される共通駆動電圧の波形図。
【図４】選択された液晶セルの透過度が図３の第１または第２リセット周期で変わる状態を示す図面。
【図５】従来の他の駆動方法によって走査される走査電極ラインに印加される共通駆動電圧の波形図。
【図６】選択された液晶セルの透過度が図５の第１または第２リセット周期で変わる状態を示す図面。
【符号の説明】
ｔｓ１  選択周期
ｔｓ２  選択周期
ｔＨ１  維持周期
ｔＨ２  維持周期
ｔＢ１  活性化周期
ｔＢ２  活性化周期
ｔＲ１  リセット周期
ｔＲ２  リセット周期
＋Ｖｓ  走査用選択電圧
＋ＶＨ  維持電圧
【図１】
0004767426.tif 000004
【図２】
0004767426.tif 000005
【図３】
0004767426.tif 000006
【図４】
0004767426.tif 000007
【図５】
0004767426.tif 000008
【図６】
0004767426.tif 000009